【事件の表示】
　特願２００２−２９５０８８「フルカラー表示素子」拒絶査定不服審判事件〔平成１６年　４月３０日出願公開、特開２００４−１３４１２２〕について、次のとおり審決する。
【結　論】
　本件審判の請求は、成り立たない。
【理　由】
第１　手続の経緯
平成１４年１０月　８日　　　特許出願
平成２０年　６月１０日付け　拒絶理由通知書
平成２０年　８月１１日　　　意見書
平成２０年　８月１１日　　　手続補正書（１）
平成２１年　１月２１日付け　拒絶理由通知書（最後）
平成２１年　３月２４日　　　意見書
平成２１年　３月２４日　　　手続補正書（２）
平成２１年　６月２９日付け　手続補正書（２）でした補正の却下の決定
平成２１年　６月２９日付け　拒絶査定
平成２１年１０月　２日　　　審判請求書
平成２１年１０月　２日　　　手続補正書（３）
平成２２年　８月２０日付け　審尋
平成２２年１０月１３日　　　回答書
　
第２　本願発明
　本願の請求項１に係る発明は，平成２１年１０月２日付けの手続補正書によって補正された明細書及び図面の記載からみて，明細書の特許請求の範囲の請求項１に記載されたとおりの下記のものである（以下「本願発明」という。）。
　
　　　　　　　　　　　　　　　　　記
　
【請求項１】
　円偏光板と，選択反射型フィルタと，電界発光素子とをこの順に備える表示素子であって，前記円偏光板と前記選択反射型フィルタとの間，または，前記選択反射型フィルタと電界発光素子との間に，吸収型カラーフィルタが設けられてなり，
　前記選択反射型フィルタが，コレステリック液晶フィルタであり，
　前記電界発光素子が，複数の画素を構成し，各画素毎にそれぞれ赤色発光の発光素子，緑色発光の発光素子，および青色発光の発光素子からなるカラー発光素子であり，
　前記コレステリック液晶フィルタが，前記カラー発光素子の画素毎にパターニングされた，狭帯域コレステリック液晶フィルタであり，赤色発光の発光素子に対応する位置に，赤色波長域を反射する前記狭帯域コレステリック液晶フィルタが配置され，緑色発光の発光素子に対応する位置に，緑色波長域を反射する前記狭帯域コレステリック液晶フィルタが配置され，青色発光の発光素子に対応する位置に，青色波長域を反射する前記狭帯域コレステリック液晶フィルタが配置されており，
　前記吸収型カラーフィルタが，前記カラー発光素子の画素毎にパターニングされてなり，赤色発光の発光素子に対応する位置に，赤色波長域を透過する前記吸収型カラーフィルタが配置され，緑色発光の発光素子に対応する位置に，緑色波長域を透過する前記吸収型カラーフィルタが配置され，青色発光の発光素子に対応する位置に，青色波長域を透過する前記吸収型カラーフィルタが配置されてなる，ことを特徴とする，表示素子。
　
第３　引用発明
　原査定の拒絶の理由に引用された，本願の出願前に頒布された刊行物である特開２００２−２１５０６７号公報（以下「引用例」という。）には，各図とともに以下の事項が記載されている（下線は当審による。）。
記載事項ア　
「【０００１】【発明の属する技術分野】本発明は発光素子とこの発光素子の発光動作を制御して表示を行う表示装置に関し，特に発光層の裏面に光反射部材を有する有機エレクトロルミネッセンス素子などの発光素子と，これを備える表示装置に利用して有効な技術に関するものである。」
記載事項イ　
「【０００２】【従来の技術】有機エレクトロルミネッセンス素子（以下有機ＥＬ素子と称する）は，有機薄膜からなる発光層に電流を注入することにより，電気エネルギーを光エネルギーに変換して発光する素子である。有機ＥＬ素子から構成される表示装置は液晶表示装置に代表される非発光型の表示装置とは異なり，自発光型であるためバックライトなどの補助光源が不要なことから，薄型，軽量であり，さらに視野角が広く，表示の応答速度が早いといった特徴を有する。
【０００３】図１９は従来の有機ＥＬ素子の一例を示す概略断面図である。この有機ＥＬ素子は透明基板４００に陽極である透明電極２００，ホール輸送層１０２，発光層１００，電子輸送層１０１，光反射機能を有する金属電極からなる陰極３００を順次積層した構造となっている。
【０００４】陽極である透明電極２００と陰極３００との間に直流電圧を印加すると，透明電極２００から注入されたホールがホール輸送層１０２を経由して，また，陰極３００から注入された電子が電子輸送層１０１を経由して，それぞれが発光層１００に到達し，電子−ホールの再結合が生じて，ここから所定の波長分布を有する発光が生じる。
【０００５】発光層１００から出射した光のうち透明電極２００側に向かった光は透明電極２００を通過し，透明基板４００から出射する。また，陰極３００に向かった光は陰極３００で反射して，発光層１００，透明電極２００等を通過して同じく透明基板４００から出射する。
【０００６】従って，このような有機ＥＬ素子の発光動作を制御することで表示を行う表示装置では，陰極を反射率の高い電極にして透明電極側から出射する光量を増やすことが，明るい画像を得るために重要である。
【０００７】ところで，このような素子構造では発光していない状態では，陰極が反射率の高い鏡のような状態であるため，周囲の景色等が写り込み，黒（暗）表示が十分に暗くならない。つまり，周囲が明るい環境下では黒表示が暗くならず，コントラスト比が低下するという課題を生ずる。この課題を解決する方法として透明基板４００の光出射面側に円偏光板８００を配置した構造が実用化されている。円偏光板は偏光板６００と１／４波長板７００から構成される。
【０００８】円偏光板８００は以下の通り作用する。周囲から有機ＥＬ素子に入射する外光２０００は一般に非偏光であり，偏光板６００を通過する際，特定の直線偏光は透過し，これと直交する直線偏光は吸収される。偏光板６００を透過した直線偏光は１／４波長板７００の作用を受けて，円偏光（ここでは例えば右回りの円偏光）となる。１／４波長板７００を通過した光は陰極３００で反射する際，位相がπずれて回転方向が逆の円偏光（左回りの円偏光）になる。陰極３００で反射した光２０００Ｒは再び１／４波長板７００に入射し，これを通過する際，その作用を受けて今度は偏光板６００で吸収される直線偏光に変換されて，偏光板６００で吸収されるため外部には戻らなくなる。つまり，外光の陰極３００での反射はカットされるため黒表示が暗くなり，コントラスト比が著しく改善される。」
記載事項ウ　
「【００１５】【発明が解決しようとする課題】円偏光板を備えた従来技術によれば，有機ＥＬ素子の光反射機能を有する電極（陰極）での外光反射が円偏光板の作用により低減できるため，明るい環境下でも高いコントラスト比を実現することができる。しかし，発光時は発光層から出射した光の一部が円偏光板で吸収されるため，表示が暗くなるという課題を有する。これは，一般に発光層から出射する光は非偏光であるため，円偏光板を構成する偏光板で少なくとも１／２の光が吸収されるためである。
【００１６】また，有機ＥＬ素子でフルカラーの表示装置を実現する場合，ＲＧＢ並置型が素子効率の面から最も好ましい。しかし，現状の有機ＥＬ素子は色によっては発光の波長範囲が広く，色純度が高いとはいえない。各原色の色純度を高くするためにカラーフィルタを併用するということが考えられるが，この場合はカラーフィルターで光が吸収されるため，光の利用効率が低下して表示が暗くなる。
【００１７】本発明は上記実状を鑑み成されたもので，その目的は発光層から出射した光を効率良く表示に寄与させることで，明るい表示を実現すると同時に，発光層裏面の電極などの反射部材による外光の反射を低減することで，明るい環境下でも高いコントラスト比の表示を実現する有機ＥＬ素子などの発光素子，及びこの発光素子の発光動作を制御して表示を行う表示装置を提供することにある。
【００１８】さらに，明るさを損なうことなく色純度を高めた発光素子，及びこの発光素子の発光動作を制御して表示を行う表示装置を提供することにある。この他の目的については以下の記述から明らかになるであろう。」
記載事項エ　
「【００１９】【課題を解決するための手段】上記目的を達成するため本発明の発光素子は，発光層と位相差板との間に偏光分離手段（コレステリック液晶層）を配置する。偏光分離手段は発光層の発光波長範囲の一部または全部を含み，なおかつ可視波長範囲よりも狭い波長範囲の光であって，前記発光層側から前記偏光分離手段側へ向かう光のうち，前記位相差板の作用により前記偏光板で吸収される直線偏光に変換される円偏光成分は反射し，それ以外の光は透過するものとする。また，発光層の裏面側に位置する反射部材は少なくとも垂直入射した円偏光は回転方向が逆の円偏光として反射する反射面とする。発光層から出射した光のうち，従来，偏光板で吸収されていた偏光成分は偏光板で吸収される前に偏光分離手段で反射して，反射部材へ向かう。偏光分離手段で反射し，反射部材へ向かう光は円偏光であり，反射部材での反射により偏光分離手段を透過する円偏光，すなわち，位相差板の作用により偏光板を透過する直線偏光に変換される円偏光となるため，偏光板で吸収されることなく利用される。つまり，従来，発光層から出射し，偏光板で吸収され，無駄となっていた光を偏光板で吸収される前に偏光分離手段で反射して，再利用することで発光素子を明るくすることができる。」
記載事項オ　
「【００２０】【発明の実施の形態】即ち，上記目的を達成するため本発明の発光素子は，発光層とこの発光層の裏面に配置した光反射部材とを有する発光素子において，前記発光層の表面側に発光層から出射する光に対応した所定の波長範囲の光を反射と透過により２種類の円偏光成分に分離する偏光分離手段と，位相差板と偏光板とを配置したものである。
【００２１】偏光分離手段としては例えばコレステリック液晶層を用いることができ，この際，コレステリック液晶層の選択反射の波長範囲は，発光層の発光波長範囲と同じ，或いはこれよりも狭くする。また，位相差板としては１／４波長板を用いる。
【００２２】この構造の発光素子では発光層から出射した光は直接，あるいは発光層の裏面に配置した反射部材で反射した後，偏光分離手段を構成するコレステリック液晶層に入射する。コレステリック液晶層に入射した光は，コレステリック液晶の選択反射により一方の回転方向の円偏光（例えば，ここでは左回りの円偏光）成分は反射し，これとは逆回りの円偏光（右回りの円偏光）成分は透過する。コレステリック液晶層を透過した光は位相差板の作用により円偏光から直線偏光に変換され，偏光板で吸収されることなく透過して観察者へ向かう。
【００２３】一方，コレステリック液晶層で反射した光は，発光層裏面の反射部材で反射して再びコレステリック液晶層に向うが，反射部材での反射の際，位相がπずれて回転方向が逆の円偏光（右回りの円偏光）となる。このため今度はコレステリック液晶層を透過して位相差板の作用により，偏光板を透過する直線偏光に変換された後，偏光板を透過して観察者へ向う。つまり，従来，偏光板で吸収され，無駄となっていた光を偏光板で吸収される前に偏光分離手段（コレステリック液晶層）で反射して，再利用することで発光素子を明るくすることができる。
【００２４】さらに偏光分離手段（コレステリック液晶層）で反射して再利用される光の波長範囲が，発光層の発光波長範囲よりも狭ければ，実際に素子から出射する光の波長分布は発光層の発光波長分布よりも急峻な分布になるため，発光層の発光自体よりも色純度の高い色光となる。
【００２５】また，明るい環境下において発光素子に入射する外光は一般に非偏光であるため，偏光板を通過する際，少なくともその半分が吸収される。偏光板を通過した光は位相差板を透過する際，その作用を受け，円偏光（例えば右回りの円偏光）となりコレステリック液晶層を透過する。コレステリック液晶層を透過した光は反射部材で反射する際，回転方向が逆の円偏光（左回りの円偏光）となり，再びコレステリック液晶層に入射する。コレステリック液晶層に入射した光のうち，選択反射波長以外の波長の光はそのまま透過して，位相差板の作用を受けて偏光板で吸収される直線偏光となり，偏光板で吸収されるため外部には透過しない。
【００２６】一方，選択反射波長に相当する波長の光はコレステリック液晶層で反射して，再び反射部材でも反射した後，コレステリック液晶層，位相差板，偏光板を通過して外部に出る。この光はわずかなため明るい環境下であっても，黒（暗）表示が暗くなり高いコントラスト比が実現できる。」
記載事項カ　
「【００２７】以下，本発明の具体的な実施例を参照図面により説明する。図１は本発明の発光素子の基本構成と動作原理を説明するための概略断面図である。図１に示す通り，
本発明に係る発光素子２４は図示しない基板上に形成された透明電極２００からなる陽極と，鏡面反射手段を兼ねる陰極３００と，陽極と陰極の間に形成した有機層１１０とから構成される有機ＥＬ素子１５０と，有機ＥＬ素子１５０の透明電極２００側に順に配置した偏光分離手段５００と，位相差板７００と，偏光板６００とから構成される
【００２８】有機ＥＬ素子１５０の有機層１１０は陽極（透明電極２００）と陰極３００との間に陰極３００側から順に電子輸送層１０１，発光層１００，ホール輸送層１０２を積層配置したものを用いることができる。
【００２９】尚，発光層１００と電子輸送層１０１は兼用できる材料を用いることで１層としても良い。また，有機ＥＬ素子１５０の構造としては，この他に陽極（透明電極２００）とホール輸送層１０２の間に陽極バッファ層を配置したものを用いてもよい。陽極バッファ層としてはＣｕＰｃを用いることができる。ＣｕＰｃは陽極とホール輸送層のコンタクトを向上する役割を果たすものと考えられる。
【００３０】陽極（透明電極２００）には仕事関数の高い透明な電極材料を用いれば良く，例えばＩＴＯ（Ｉｎｄｉｎｍ　ｔｉｎ　ｏｘｉｄｅ）が好適である。また，将来的にはＩｎＺｎＯを用いることができるようになるであろう。
【００３１】陰極３００には仕事関数の低いＡｌ，Ｍｇ，Ｍｇ−Ａｇ合金やＡｌ−Ｌｉ合金などを用いることができる。Ａｌ単体では駆動電圧が高く，寿命が短いことから有機層との間に極薄いＬｉ化合物（酸化リチウムＬｉ２Ｏ，ＬｉＦフッ化リチウムなど）を挿入してＡｌ−Ｌｉ合金に匹敵する特性を得るようにしたものを用いても良い。
【００３２】また，陰極に接する部分の有機層をリチウムやストリンチウムなどの反応性の高い金属でドーピングして，駆動電圧を低くするようにしても良い。尚，陰極３００は光の反射率が高い材料から構成されることが，発光層から出射した光の利用効率向上の面から望ましい。
【００３３】さらに，陰極３００は後述する理由から少なくとも垂直入射した円偏光を回転方向が逆の円偏光として反射する鏡面であることが，外光反射の低減，及び発光層から出射した光の利用効率向上という面から望ましい。
【００３４】有機層１１０は陽極（透明電極２００）と陰極３００との間に所定の電圧が印加されたとき所望の色で発光する材料を用いる。」
記載事項キ　
「【００４１】いずれにしても有機層１１０を構成する各層は数十ｎｍ程度と薄く，これを透過する光の偏光状態はほぼ維持されるものである。
【００４２】以上から構成される有機ＥＬ素子１５０では，陽極である透明電極２００と陰極３００とに直流電源９００を接続し，透明電極２００と陰極３００との間に直流電圧を印加すると，透明電極２００から注入されたホールがホール輸送層１０２を経由して，また，陰極３００から注入された電子が電子輸送層１０１を経由して，それぞれが発光層に到達し，電子−ホールの再結合が生じてここから所定の波長の発光が生じると考えられるものである。
【００４３】透明電極２００の有機層１１０とは反対側には順に偏光分離手段５００，位相差板７００，偏光板６００が積層配置される。
偏光分離手段５００は所定の波長範囲の光を反射と透過により，２種類の円偏光成分に分離する機能を有するものである。偏光分離手段５００としてはコレステリック液晶層が好適である
【００４４】コレステリック液晶層はヘリカルな分子配列に基づく特異な光学特性を示すもので，ヘリカル軸に平行に入射した光はコレステリック螺旋のピッチに対応する波長において，螺旋の回転方向に応じて一方の回転方向の円偏光成分は反射し，他方は透過するという選択反射を示すものである。」
記載事項ク　
「【００４７】・・・
複数の発光素子２４を整列配置し，これらの発光動作を制御してフルカラー表示を行う表示装置を実現しようとする場合，発光素子２４を構成する有機ＥＬ素子１５０の発光のピーク波長(最大強度となる波長)は，赤色（Ｒ），緑色（Ｇ），青色（Ｂ）の３原色に対応したものとするとよい。つまり，画素毎に有機ＥＬ素子１５０の発光のピーク波長を３原色に対応させて異なったものとする。
【００４８】図２はコレステリック液晶層に非偏光の光を入射した場合のコレステリック液晶層における透過率の波長依存性を示すグラフであり，それぞれＲ，Ｇ，Ｂの３原色に対応した選択反射の一例を示したものである。
【００４９】例えば有機ＥＬ素子１５０の発光色が青色の場合は偏光分離手段５００として，図２で示すＢ反射の特性を示すコレステリック液晶層を配置すれば良い。つまり，偏光分離手段５００は有機ＥＬ素子１５０の発光色に対応した選択反射の波長範囲を有するコレステリック液晶層で構成するようにすれば良い。
【００５０】
位相差板７００及び偏光板６００は従来技術において，所謂円偏光板を構成するものである。つまり，偏光板６００はこれを通過する光のうち特定の直線偏光は透過し，これと直交する直線偏光は吸収するものである
【００５１】
また，位相差板７００は偏光板６００を通過した直線偏光を，円偏光に変換する１／４波長板として機能するものを用いる。
【００５２】位相差板７００は透明な一軸延伸した高分子フィルム，例えばポリビニルアルコール，ポリカーボネート，ポリサルフォン，ポリスチレン，ポリアリレート等を用いることができる。尚，一般に位相差板を構成する透明体には屈折率の波長依存性（波長分散）があるため，太陽光や照明光などの外光のように波長範囲が広い光に対しては，一種類の位相差板では十分な性能が得られない。このため波長分散の異なる２種類の位相差フィルムを，その光学軸をずらして張り合わせ，広い波長範囲で１／４波長板として機能する位相差板を構成するようにしてもよい。
【００５３】尚，偏光板６００を透過し，位相差板７００を通過した光の円偏光の回転方向が，偏光分離手段５００を構成するコレステリック液晶層が選択反射を示す円偏光（例えば左回りの円偏光）とは，逆回りの円偏光（右回りの円偏光）となるように位相差板７００の遅相軸の向きを決定することが重要である。」
記載事項ケ　
「【００５４】次に本発光素子の動作を図１により説明する。
【００５５】透明電極２００と陰極３００とに直流電源９００を接続し，電流を流すと発光層１００から所定の波長の発光が生じる。発光層１００から出射した光のうち透明電極２００側に向かった光１０００は，そのまま透明電極２００を透過して偏光分離手段５００に入射する。また，発光層１００から出射した光のうち陰極３００側に向かった光１００１は，陰極３００で反射した後，同じく透明電極２００を透過して偏光分離手段５００に入射する。
【００５６】この際，発光層１００から出射した光は非偏光であるため，偏光分離手段５００に入射する光は偏光分離手段５００であるコレステリック液晶層の選択反射により，一方の回転方向の円偏光（例えば，ここでは右回りの円偏光）成分は透過し，これとは逆回りの円偏光（左回りの円偏光）成分は反射する。
【００５７】偏光分離手段５００を透過した光１００２は，位相差板７００の作用により偏光板６００を透過する直線偏光に変換され，偏光板６００を透過して観察者１０００の方向へ向かう。
【００５８】一方，偏光分離手段５００で反射した光１００３は，陰極３００で反射して再び偏光分離手段５００に向かうが，陰極３００での反射の際，位相がπずれて回転方向が逆の円偏光（右回りの円偏光）となるため，今度は偏光分離手段５００を透過する。偏光分離手段５００を透過した光１００３は，位相差板７００の作用により偏光板６００を透過する直線偏光に変換され，偏光板６００を透過して観察者１０００の方向へ向う。
【００５９】従って，発光層１００から出射した光は，大部分が偏光板で吸収されることなく，観察者１０００に向う。つまり，従来，偏光板で吸収され，無駄となっていた光を有効に再利用することで，発光素子の輝度が向上するという効果がある。また光取出方法としては偏光分離手段５００を透過した光１００２と偏光分離手段５００で反射した光１００３とを取り出すことができるので，光の効率が良い。
【００６０】次に，明るい環境下で周囲から発光素子２４に入射する外光について説明する。周囲から発光素子２４に入射する外光３０００は一般に非偏光であるが，偏光板６００を通過する際に所定の直線偏光は吸収され，これと偏光面が直交する直線偏光は透過する。偏光板６００を透過した直線偏光は位相差板７００の作用を受け，円偏光（ここでは例えば右回りの円偏光）となる。
【００６１】位相差板７００を通過した光は偏光分離手段５００を透過して，陰極３００で反射する際，位相がπずれて回転方向が逆の円偏光（左回りの円偏光）になる。陰極３００で反射した光は偏光分離手段５００に入射するが，偏光分離手段５００であるコレステリック液晶層における選択反射における波長範囲以外の波長の光３００１は，そのまま透過し，選択反射の波長範囲に相当する波長の光は反射する。偏光分離手段５００を透過した光（左回りの円偏光）は，位相差板７００の作用を受けて偏光板６００で吸収される直線偏光となり，偏光板６００で吸収されるため外部には戻らない。
【００６２】一方，偏光分離手段５００で反射した光３００２は，陰極３００で反射して再び偏光分離手段５００に向かうが，陰極３００での反射の際，位相がπずれて回転方向が逆の円偏光（右回りの円偏光）となるため，今度は偏光分離手段５００を透過する。偏光分離手段５０を透過した光３００２（右回りの円偏光）は，位相差板７００の作用により，偏光板６００を透過する直線偏光に変換され，偏光板６００を透過して観察者１０００の方向へ向う。
【００６３】つまり，発光素子２４に入射した外光３０００は，まずそのうちの少なくとも半分が偏光板６００で吸収される。更に偏光板６００を透過した光は陰極３００で反射して，偏光分離手段５００に入射するが，このうち偏光分離手段５００を透過した光３００１は偏光板６００で吸収される。従って，外部へ出射する光は偏光分離手段５００の選択反射の波長範囲に相当するわずかな光３００２のみである。
【００６４】つまり，本発明の発光素子では明るい環境下であっても，外光の大部分がカットされるため，黒表示が暗くなり高いコントラスト比が実現できるという効果がある。
【００６５】尚，図２に例示した通り，偏光分離手段５００を構成するコレステリック液晶層の選択反射の波長分布は，一般に急峻な分布をしており，選択反射の波長範囲は採用する液晶のΔｎと螺旋ピッチｐにより，有機ＥＬ素子の発光の波長範囲よりも小さくすることが可能である。
【００６６】ここで，一般に発光の中心波長が同じであっても，発光の波長範囲が広く，なだらかな波長分布の場合には，色純度（色度図上での白色光源からの距離の比）が低くなる。従って，偏光分離手段５００で反射して再利用される光の波長範囲を，発光層の発光の波長範囲よりも狭く，急峻な分布にすれば，実際に素子から出射する光の波長分布は，発光層の発光波長分布よりも狭く，急峻になるため，発光層からの発光よりも色純度を高くすることができる。
【００６７】つまり，本発明の発光素子では有機ＥＬ素子１５０自体の発光の色純度に対して，偏光分離手段５００で反射して再利用される光の分だけ，色純度を高くすることができるという効果がある。
【００６８】また，この発光素子を複数整列配置し，個々の発光素子の発光動作を制御して表示を行う表示装置の場合には，Ｒ，Ｇ，Ｂの３原色に対応する発光素子の色純度をそれぞれ高めることで，表色範囲の広い表示装置が実現できるという効果もある。
【００６９】さらに，明るい環境下での外光の反射は，偏光分離手段５００であるコレステリック液晶層の選択反射の波長範囲が狭ければ，小さくなるためより高いコントラスト比が得られるという効果がある。」
記載事項コ　
「【００７５】尚，有機ＥＬ素子１５０の発光の波長範囲と，偏光分離手段５００を構成するコレステリック液晶層の選択反射の波長範囲との関係が本発明の発光素子では重要である。
【００７６】つまり，重視する特性によってその関係を変えても良い。例えば，色純度と明るい環境下でのコントラスト比を重視する場合は，有機ＥＬ素子１５０の発光の波長範囲よりも，偏光分離手段５００を構成するコレステリック液晶層の選択反射の波長範囲を狭くすることが望ましい。この場合，選択反射の波長範囲が狭ければ狭いほど外光の反射が減り，コントラスト比は向上するが，その分輝度の向上効果が減るので，使用環境（想定される周囲の明るさ）を考慮した上で，選択反射帯域を決定するようにすると良い。
【００７７】また，絶対的な輝度を重視する場合は有機ＥＬ素子１５０の発光の波長範囲と，偏光分離手段５００を構成するコレステリック液晶層の選択反射の波長範囲を略一致させ，再利用できる光量を最大にすることが有効である。
【００７８】コントラスト比と輝度を両立するには，有機ＥＬ素子の発光の波長範囲を狭くした上で，有機ＥＬ素子１５０の発光の波長範囲と偏光分離手段５００を構成するコレステリック液晶層の選択反射の波長範囲を略一致させる。」
記載事項サ　
「【００９６】図１１は表示装置１の一部断面を示す概略構成図である。また，図１２は表示装置１の一部正面図である。図１１に示す通り，
赤色（Ｒ）発光の有機層１１０Ｒの上には，赤色に対応した選択反射の波長範囲を有するＲ反射のコレステリック液晶層５００Ｒを，緑色発光（Ｇ）の有機層１１０Ｇの上には緑色に対応した選択反射の波長範囲を有するＧ反射のコレステリック液晶層５００Ｇを，青色（Ｂ）発光の有機層１１０Ｂの上には青色に対応した選択反射の波長範囲を有するＢ反射のコレステリック液晶層５００Ｂを配置する。
記載事項シ　
「【０１２８】本発明の表示装置１の発光素子２４は上述の通り，偏光分離手段の作用により，従来，偏光板で吸収され損失となっていた光も表示光として利用できるため，輝度が１．６倍以上に向上する。このため，同じ消費電力であれば，より輝度が高く，明るい表示の表示装置を実現できるという効果が有る。或いは，同じ輝度（明るさ）であれば，発光素子に流れる電流を小さくできるので，消費電力が小さくなり，さらに寿命が長い表示装置を実現できるという効果がある。
【０１２９】さらに表示装置１は上述において発光素子２４の偏光分離手段の作用により，発光層からの発光色自体より，観察者側へ出射する色光の色純度が向上するという効果がある。このため，表示装置の表示色範囲が広がるという効果がある。」
記載事項ス　
「【０１３５】尚，本発明の表示装置では偏光分離手段と陰極との距離が長いと偏光分離手段で反射した光が本来の画素とは，別の画素の陰極へ漏れて解像度が低下したり，発光層から出射した光や，偏光分離手段で反射した光が隔壁などで吸収されて観察者へ向かう光が，減ってしまうなどの弊害を生じる。このため，偏光分離手段と陰極との距離はできるだけ短いことが，画質及び発光層から出射した光の利用効率向上の面から望ましい。」
記載事項セ　
「【０１７４】【発明の効果】上記の通り，本発明によれば，発光素子はコレステリック液晶層などから構成される偏光分離手段の作用により，従来，偏光板で吸収され，損失となっていた光を有効に再利用することで，観察者へ向かう光量が増加し，輝度が向上するという効果がある。そのうえ，偏光分離手段で反射して再利用される光の波長範囲の制御により，発光層からの発光自体よりも高い色純度の色光が得られるという効果がある。
【０１７５】さらに明るい環境下であっても外光の反射の大部分がカットされるため，黒表示が暗くなり高いコントラスト比が実現できるという効果がある。
【０１７６】また，本発明の表示装置ではこれを構成する発光素子が偏光分離手段の作用により，従来，偏光板で吸収され損失となっていた光も表示光として利用できるため輝度が向上する。
【０１７７】このため，同じ消費電力であれば，より輝度が高く，明るい表示の表示装置を実現できるという効果がある。或いは，同じ輝度（明るさ）であれば，発光素子に流れる電流を小さくできるので，消費電力が小さくなり，さらに寿命が長い表示装置を実現できるという効果がある。
【０１７８】さらに本発明の表示装置では表示装置を構成する発光素子から出射する色光の色純度が高いため，表示装置の表色範囲が広い高品位な表示が実現できるという効果がある。」
　
　これら記載事項及び各図からみて，引用例には，下記の発明（以下「引用発明」という。）が記載されていると認める。
　
　　　　　　　　　　　　　　　　　記
　
　複数の発光素子（２４）が整列配置されてなる表示装置（１）において，
　発光素子（２４）が，透明電極（２００）からなる陽極と，鏡面反射手段を兼ねる陰極（３００）と，陽極と陰極の間に形成した有機層（１１０）とから構成される有機ＥＬ素子（１５０）と，有機ＥＬ素子（１５０）の透明電極（２００）側に順に配置した偏光分離手段（５００）と，位相差板（７００）と，偏光板（６００）とから構成され，
　偏光板（６００）はこれを通過する光のうち特定の直線偏光は透過しこれと直交する直線偏光は吸収するものであり，位相差板（７００）は偏光板（６００）を通過した直線偏光を円偏光に変換する１／４波長板として機能し，つまり，位相差板（７００）及び偏光板（６００）はいわゆる円偏光板を構成し，
　画素毎に有機ＥＬ素子（１５０）の発光のピーク波長を赤色（Ｒ），緑色（Ｇ），青色（Ｂ）の３原色に対応させて異なったものとし，
　偏光分離手段（５００）は所定の波長範囲の光を反射と透過により，２種類の円偏光成分に分離する機能を有するコレステリック液晶層であり，
　赤色（Ｒ）発光の有機層（１１０Ｒ）の上には，赤色に対応した選択反射の波長範囲を有するＲ反射のコレステリック液晶層（５００Ｒ）を，緑色発光（Ｇ）の有機層（１１０Ｇ）の上には緑色に対応した選択反射の波長範囲を有するＧ反射のコレステリック液晶層（５００Ｇ）を，青色（Ｂ）発光の有機層（１１０Ｂ）の上には青色に対応した選択反射の波長範囲を有するＢ反射のコレステリック液晶層（５００Ｂ）を配置した，
　表示装置（１）。
　
第４　対比，判断
１　対比
　本願発明と引用発明を対比する。
　第１に，引用発明の「偏光板（６００）はこれを通過する光のうち特定の直線偏光は透過しこれと直交する直線偏光は吸収するものであり，位相差板（７００）は偏光板（６００）を通過した直線偏光を円偏光に変換する１／４波長板として機能し，つまり，位相差板（７００）及び偏光板（６００）はいわゆる円偏光板を構成」するものである。したがって，引用発明の「位相差板（７００）」及び「偏光板（６００）」は，本願発明の「円偏光板」に相当する。
　第２に，引用発明の「偏光分離手段（５００）は所定の波長範囲の光を反射と透過により，２種類の円偏光成分に分離する機能を有するコレステリック液晶層」である。したがって，引用発明の「偏光分離手段（５００）」は，本願発明の「選択反射型フィルタ」に相当する。
　第３に，引用発明の「有機ＥＬ素子（１５０）」は本願発明の「電界発光素子」に相当する。
　第４に，引用発明の発光素子（２４）は「有機ＥＬ素子（１５０）と，有機ＥＬ素子（１５０）の透明電極（２００）側に順に配置した偏光分離手段（５００）と，位相差板（７００）と，偏光板（６００）とから構成」されるものであり，また，引用発明の表示装置（１）は「複数の発光素子（２４）が整列配置されてなる」ものである。したがって，引用発明の「表示装置（１）」は，本願発明の「円偏光板と，選択反射型フィルタと，電界発光素子とをこの順に備える表示素子」に相当する。
　第５に，引用発明の表示装置（１）は「画素毎に有機ＥＬ素子（１５０）の発光のピーク波長を赤色（Ｒ），緑色（Ｇ），青色（Ｂ）の３原色に対応させて異なったもの」としたものである。したがって，引用発明の「有機ＥＬ素子（１５０）」と本願発明の「電界発光素子」は「前記電界発光素子が，複数の画素を構成し，各画素毎にそれぞれ赤色発光の発光素子，緑色発光の発光素子，および青色発光の発光素子からなるカラー発光素子であり」の点で共通する。
　第６に，引用発明の「偏光分離手段（５００）は所定の波長範囲の光を反射と透過により，２種類の円偏光成分に分離する機能を有するコレステリック液晶層であり」，「赤色（Ｒ）発光の有機層（１１０Ｒ）の上には，赤色に対応した選択反射の波長範囲を有するＲ反射のコレステリック液晶層（５００Ｒ）を，緑色発光（Ｇ）の有機層（１１０Ｇ）の上には緑色に対応した選択反射の波長範囲を有するＧ反射のコレステリック液晶層（５００Ｇ）を，青色（Ｂ）発光の有機層（１１０Ｂ）の上には青色に対応した選択反射の波長範囲を有するＢ反射のコレステリック液晶層（５００Ｂ）を配置した」ものである。したがって，引用発明の「偏光分離手段（５００）」と本願発明の「選択反射型フィルタ」は「前記選択反射型フィルタが，コレステリック液晶フィルタであり」の点で共通するとともに，「前記コレステリック液晶フィルタが，前記カラー発光素子の画素毎にパターニングされた，狭帯域コレステリック液晶フィルタであり，赤色発光の発光素子に対応する位置に，赤色波長域を反射する前記狭帯域コレステリック液晶フィルタが配置され，緑色発光の発光素子に対応する位置に，緑色波長域を反射する前記狭帯域コレステリック液晶フィルタが配置され，青色発光の発光素子に対応する位置に，青色波長域を反射する前記狭帯域コレステリック液晶フィルタが配置されており」の点で共通する。
　そうしてみると，本願発明と引用発明は，
「円偏光板と，選択反射型フィルタと，電界発光素子とをこの順に備える表示素子であって，
　前記選択反射型フィルタが，コレステリック液晶フィルタであり，
　前記電界発光素子が，複数の画素を構成し，各画素毎にそれぞれ赤色発光の発光素子，緑色発光の発光素子，および青色発光の発光素子からなるカラー発光素子であり，
　前記コレステリック液晶フィルタが，前記カラー発光素子の画素毎にパターニングされた，狭帯域コレステリック液晶フィルタであり，赤色発光の発光素子に対応する位置に，赤色波長域を反射する前記狭帯域コレステリック液晶フィルタが配置され，緑色発光の発光素子に対応する位置に，緑色波長域を反射する前記狭帯域コレステリック液晶フィルタが配置され，青色発光の発光素子に対応する位置に，青色波長域を反射する前記狭帯域コレステリック液晶フィルタが配置されている，
　表示素子。」
の点で一致し，以下の点で相違する。
（相違点）
　本願発明の表示素子は，「前記円偏光板と前記選択反射型フィルタとの間，または，前記選択反射型フィルタと電界発光素子との間に，吸収型カラーフィルタが設けられてなり」，「前記吸収型カラーフィルタが，前記カラー発光素子の画素毎にパターニングされてなり，赤色発光の発光素子に対応する位置に，赤色波長域を透過する前記吸収型カラーフィルタが配置され，緑色発光の発光素子に対応する位置に，緑色波長域を透過する前記吸収型カラーフィルタが配置され，青色発光の発光素子に対応する位置に，青色波長域を透過する前記吸収型カラーフィルタが配置されてなる」のに対して，引用発明の表示装置（１）はこの構成を備えない点。
　
２　判断
　フルカラー表示装置において吸収型カラーフィルタを設けること，すなわち，Ｒ，Ｇ，Ｂの画素ごとにパターニングされ，かつ，Ｒ画素に対応する位置に赤色波長域を透過する前記吸収型カラーフィルタが配置され，Ｇ画素に対応する位置に緑色波長域を透過する前記吸収型カラーフィルタが配置され，Ｂ画素に対応する位置に青色波長域を透過する前記吸収型カラーフィルタが配置されてなる構成を採用することは，例えば，引用例（【０１３９】ないし【０１６０】，以下，引用例とは区別して「周知例１」という。），特開平８−３２１３８０号公報（以下「周知例２」という。），特開２００２−２０７４３３号公報（以下「周知例３」という。）に開示されており，周知技術である。
　そこで，引用発明において周知技術を付加することに合理的な理由があるか否かを検討する。
　第１に，周知例１を参照すると，周知例１に記載された発光素子の吸収型カラーフィルターは円偏光板とコレステリック液晶層の間に設けられ，白色光をＲＧＢ化する効果を主に奏するものである（【０１５５】及び【０１５６】参照）ところ，これに加えて，円偏光板及びコレステリック液晶層とともに，所望のＲＧＢ光を効率よく取り出しかつ明るい環境下であっても外光の大部分をカットし暗表示が暗くなり高いコントラスト比が実現できる効果を奏するものである（【０１５７】及び【０１５８】参照）。そして，引用発明においてはコレステリック液晶層の選択反射波長範囲外の有機ＥＬ光の１／２が外に漏れるものであり，また，コレステリック液晶層の透過・反射特性が理想的なものでなく（図２），１／４波長板などについても波長依存性があり理想的なものでないことは技術常識であるから，引用発明においても吸収型カラーフィルタを設けて所望のＲＧＢ光を効率よく取り出しかつ明るい環境下であっても外光の大部分をカットし暗表示が暗くなり高いコントラスト比が実現できるようにすることは，当業者における通常の創意工夫の発揮に過ぎないものである。
　第２に，周知例２を参照すると，周知例２に記載された有機電界発光素子の吸収型カラーフィルタは紫外線カットフィルターと発光層の間に設けられ，外光による有機ＥＬ素子材料の光疲労を緩和する効果を主に奏するものである（【０００５】参照）ところ，これに加えて外光による有機ＥＬ素子材料が励起されて蛍光を発しないようにしたり（【０００２】参照）有機ＥＬ素子材料の非発光時の色で外光を反射しないようにする効果も通常は奏するものであるから，引用発明においても吸収型カラーフィルタを設けてこれら効果を奏するものとすることは，当業者における通常の創意工夫の発揮に過ぎないものである。
　第３に，周知例３を参照すると，周知例３に記載された自己発光型ディスプレイは透過反射分離層と発光層の間に設けられ，直線偏光板及び透過反射分離層によって入射してきた外光をかなり弱めて外光の反射によるコントラストの低下を防止する効果を奏するものである（【００１１】参照）ところ，これにカラーフィルタを加えることにより外光の反射によるコントラストの低下を防止する効果をさらに向上させる効果を奏するものである（【００１２】参照）から，引用発明においても吸収型カラーフィルタを設けて外光の反射によるコントラストの低下を防止する効果をさらに向上させるようにすることは，当業者における通常の創意工夫の発揮に過ぎないものである。
　以上のとおり，引用発明と周知技術はともにフルカラー表示装置に関するものであるから技術分野が同一であり，これに加えて，外光反射の問題を低減するなどの効果及び周知例１ないし３における吸収型カラーフィルタの配置をも勘案するならば，引用発明の「前記円偏光板と前記選択反射型フィルタとの間，または，前記選択反射型フィルタと電界発光素子との間に，吸収型カラーフィルタ」を設け，「前記吸収型カラーフィルタが，前記カラー発光素子の画素毎にパターニングされてなり，赤色発光の発光素子に対応する位置に，赤色波長域を透過する前記吸収型カラーフィルタが配置され，緑色発光の発光素子に対応する位置に，緑色波長域を透過する前記吸収型カラーフィルタが配置され，青色発光の発光素子に対応する位置に，青色波長域を透過する前記吸収型カラーフィルタが配置され」るようにすることは，当業者が容易にできることである。
　したがって，本願発明は，引用例に記載された発明及び周知技術に基いて当業者が容易に発明できたものである。
　
第５　備考
　平成２１年１０月２日付けの手続補正は，請求項１に記載した発明を特定するために必要な事項である「吸収型カラーフィルタ」について，請求項４に記載した発明を特定するために必要な事項を限定的に付加するものであって，平成１８年法律第５５号改正附則第３条第１項によりなお従前の例によるとされる同法による改正前の特許法第１７条の２第４項第２号の特許請求の範囲の減縮を目的とするものと解釈できる（審査官も，同様の判断をしている。）。
　しかしながら，当該補正は，(1)引用形式で記載された補正前の請求項を独立形式に書き改め，(2)請求項４に記載した発明を特定するために必要な事項を含まない請求項を削除し，(3)削除後の請求項を引用形式に書き戻したもの，すなわち，平成１８年法律第５５号改正附則第３条第１項によりなお従前の例によるとされる同法による改正前の特許法第１７条の２第４項第１号の請求項の削除を目的とするものとも解釈できる。
　審決では請求人が判断を求める請求項について特許性の判断を明確に示すのが良いと考えるので当審は後者の解釈を採用するものであるが，仮に前者の解釈を採用するとしても，当該補正後の請求項１に係る発明は前掲のとおり当業者が容易に発明できたものであり，また，補正前の請求項１に係る発明についても同様である。
　
第６　まとめ
　以上のとおり，本願発明は，引用例に記載された発明及び周知技術に基いて当業者が容易に発明をすることができたものであるから，特許法第２９条第２項の規定により特許を受けることができない。
　したがって，その余の請求項に係る発明について検討するまでもなく，本願は拒絶すべきものである。
　よって，結論のとおり審決する。